(57)【要約】      （修正有）【課題】瓶の包装用容器の一部がキャンドルスリーブとして形成され、使用した際に、最大限の演出効果を発揮することができる包装用容器を提供する。【解決手段】内部包装用容器３と、内部包装用容器を包装する外部包装用容器２とを備えた包装用容器１であって、外部包装用容器が、花形模様５を有するキャンドルスリーブとして形成されている。外部包装用容器は、複数のキャンドルスリーブ２ａ〜２ｃから構成され、内部包装用容器の頂部及び底部に形成された凹部３ａ、３ｂの少なくともいずれか一方にキャンドルボックス４が着脱自在に収納されていることが好ましい。【選択図】図１
0003196409.tif 000002
【実用新案登録請求の範囲】
【請求項１】
内部包装用容器と、該内部包装用容器を包装する外部包装用容器とを備えた包装用容器であって、
該外部包装用容器が、キャンドルスリーブとして形成されていることを特徴とする包装用容器。
【請求項２】
前記外部包装用容器は、複数のキャンドルスリーブから構成されていること
を特徴とする請求項１に記載の包装用容器。
【請求項３】
前記内部包装用容器の頂部及び底部に形成された凹部の少なくともいずれか一方にキャンドルボックスが着脱自在に収納されていること
を特徴とする請求項１または２に記載の包装用容器。
【考案の詳細な説明】
【技術分野】
【０００１】
本考案は、瓶等の包装用容器に関し、特に包装用容器の一部がキャンドルスリーブとして兼用できる包装用容器に関するものである。
【背景技術】
【０００２】
従来、ワイン、ウィスキー、清酒、焼酎、ジュース等の飲料水が入った瓶の包装用容器としては、包装用容器を使用しないときは、該包装用容器を扁平形状に展開し、複数枚数が積層されて保管され、使用時には、個々の包装用容器を所定の方法により立体箱形状に組み立てるものがある。この包装用容器は、それぞれの瓶の大きさや形状に合わせて、専用の形状をなしているものもあり、また、贈答用に使用される包装用容器は、箱の外周面に化粧を施されたものもある。包装用容器の素材は、コートボール、段ボール等の紙が一般的である（特許文献１，２参照。）。
【０００３】
上記の包装用容器は、構造が単純なものは、例えば、落下等の衝撃に弱く、また、耐衝撃性を考慮されたものであっても、あくまで、使用目的は、瓶の包装用であるから、例えば、ワインが入った瓶の包装用容器は、ワインが飲まれるとき、または、ワインを飲み終わった後は、廃棄されてしまうか、小物入れ用として利用される。なお、瓶とともに包装用容器も記念あるいは思い出のもの等として保管されることもある。
【０００４】
ところで、一般的に、レストラン等で飲食するときに、飲食の雰囲気や美味しさをより高めるために、室内の照明を暗くして、キャンドルを灯し、幻想的空間、ロマンティックな空間等、様々な演出がなされていることが多い。このとき、キャンドルスリーブやキャンドルホルダーにより、キャンドルの炎を利用した演出もなされている（特許文献３参照。）。このような演出は、レストラン以外の様々な飲食店、結婚披露宴、パーティー、あるいは、一般家庭でも、行われている。
【先行技術文献】
【特許文献】
【０００５】
【特許文献１】特開２００７−２８４０６７号公報
【特許文献２】登録実用新案第３０５８１５４号公報
【特許文献３】登録実用新案第３０６６６９７号公報
【考案の概要】
【考案が解決しようとする課題】
【０００６】
通常、一般家庭においては、キャンドルスリーブやキャンドルホルダーは、ワイン等のアルコール飲料とは別々に購入する必要がある。しかしながら、アルコール飲料の販売箇所とキャンドルスリーブの販売箇所は、それぞれの販売店舗が相当離隔していたり、大型店舗のように同一の店舗であってもそれぞれの売り場が相当離隔していたりして、移動距離が長く、購入するのに不便である。
そこで、本考案は、瓶に入った飲料、特にアルコール飲料をキャンドルスリーブの演出効果を楽しみながら飲むときに、キャンドルスリーブと瓶とを別々に購入する不便さを解消するために、瓶の包装用容器の一部がキャンドルスリーブとして形成された包装用容器を提供することにある。また、キャンドルスリーブとして使用した際に、顕著な演出効果を発揮するための包装用容器を提供することにある。
【課題を解決するための手段】
【０００７】
上記の目的を達成するため、本考案の包装用容器は、内部包装用容器と、該内部包装用容器を包装する外部包装用容器とを備え、該外部包装用容器が、キャンドルスリーブとして形成されていることを第１の特徴とする。
【０００８】
また、本考案の包装用容器は、前記第１の特徴において、前記外部包装用容器は、複数のキャンドルスリーブから構成されていることを第２の特徴とする。
【０００９】
また、本考案の包装用容器は、前記第１または第２の特徴において、前記内部包装用容器の頂部及び底部に形成された凹部の少なくともいずれか一方にキャンドルボックスが着脱自在に収納されていることを第３の特徴とする包装用容器。
【考案の効果】
【００１０】
本考案によれば、瓶の包装用容器の一部がキャンドルスリーブとして形成されているので、キャンドルスリーブと瓶とを別々に購入する不便さを解消することができ、特に、瓶の内容物がワイン、清酒等のアルコール飲料の場合は、包装用容器に収納された瓶を取り出し、瓶の内容物のアルコール飲料を飲みながら喫食し、同時に、包装用容器の一部をキャンドルスリーブとして用いることで、飲食の雰囲気をより楽しくすることができ、また、飲食物をよりおいしく感じさせることができるという、従来技術にはない顕著な効果を奏することができる。
【図面の簡単な説明】
【００１１】
【図１】本考案の一実施の形態における包装用容器の斜視図である。
【図２】本考案の一実施の形態における外部包装用容器の上部スリーブ及び下部スリーブの斜視図である。
【図３】本考案の一実施の形態における外部包装用容器の上部スリーブを保管する際の説明図である。
【図４】本考案の一実施の形態における内部包装用容器の斜視図である。
【図５】本考案の一実施の形態におけるキャンドルボックスを収納した状態の内部包装用容器の斜視図である。
【図６】本考案の一実施の形態におけるキャンドルボックスの展開図である。
【図７】本考案の一実施の形態におけるキャンドルボックスの説明図である。
【図８】本考案の一実施の形態における内部包装用容器の展開図である。
【図９】図８の側板、側片等を説明する図である。
【図１０】図８の瓶口収納ボックス、瓶口上蓋部、瓶口下蓋部、瓶底上蓋部、瓶底下蓋部等を説明する図である。
【図１１】本考案の一実施の形態における内部包装用容器の瓶胴部係止片について説明する斜視図である。
【図１２】本考案の一実施の形態における内部包装用容器への瓶の収納を説明する斜視図である。
【図１３】本考案の一実施の形態におけるキャンドルポジションシートの展開図である。
【図１４】本考案の一実施の形態におけるキャンドルスリーブの設置手順を示す説明図である。
【図１５】本考案の一実施の形態におけるキャンドルスリーブの使用状態の説明図である
【考案を実施するための形態】
【００１２】
以下、好適な実施の形態を用いて本考案をさらに具体的に説明する。但し、下記の実施の形態は本考案を具現化した例に過ぎず、本考案はこれに限定されるものではない。
【００１３】
図１に、本考案の一実施の形態における包装用容器の斜視図を示す。図２に、本考案の一実施の形態における上部スリーブ及び下部スリーブの斜視図を示す。図３に、本考案の一実施の形態における外部包装用容器の上部スリーブを保管する際の説明図を示す。図４に、本考案の一実施の形態における内部包装用容器の斜視図を示す。図５に、本考案の一実施の形態におけるキャンドルボックスを収納した状態の内部包装用容器の斜視図を示す。本実施の形態の包装用容器１は、外部包装用容器２と、内部包装用容器３と、キャンドルボックス４とを備えている。外部包装用容器２と、内部包装用容器３と、キャンドルボックス４は、それぞれ、略正八角筒の形状をなしている。
【００１４】
外部包装用容器２は、上部スリーブ２ａと下部スリーブ２ｂとが連結して構成され、上部スリーブ２ａと下部スリーブ２ｂとの連結部分には、連結シール２ｃが剥離可能に貼着されている。上部スリーブ２ａ、下部スリーブ２ｂは、それぞれ、キャンドルスリーブとしての機能を有し、図１に示すように、それぞれのスリーブの側面には、複数の葡萄の花形模様５が、側面を開孔して形成されている。葡萄の花形模様５は、詳細は後述するが、キャンドルスリーブとして使用したときに、スリーブ内に置かれたキャンドルの炎から輻射された光と、その光による葡萄の花形模様の投影が、周囲のテーブルや壁に天と地の広がり雰囲気を醸し出すように配置されている。
本実施形態において、上部スリーブ２ａの側面は透光性を有するシルバー色に着色され、下部スリーブ２ｂの側面は透光性を有する黒色に着色され、複数の葡萄の花形模様５が開孔されているが、使用者がどのような雰囲気を演出するかに応じて、上部スリーブ２ａ及び下部スリーブ２ｂの材質、色、側面の模様の形状・大きさ・数・配置等は、適宜変更されてよい。また、本実施の形態の上部スリーブ２ａと下部スリーブ２ｂは、ＰＥＴ（ポリエチレンテレフタラート）製であるが、上記の雰囲気を醸し出すことができる素材であれば、特にＰＥＴには限定されず、適宜変更してもよい。
【００１５】
上部スリーブ２ａと下部スリーブ２ｂとで構成される外部包装用容器２は、内部包装用容器３を包装するために用いられる。つまり、本考案の実施形態においては、例えば、ワイン、清酒等のアルコール飲料が注入された瓶が内部包装用容器３で包装され、さらにこの内部包装用容器３が外部包装用容器２で包装される。
連結シール２ｃは、上部スリーブ２ａと下部スリーブ２ｂとを連結して外部包装用容器２を形成するためのシールであり、上部スリーブ２ａと下部スリーブ２ｂとの連結は、内部包装用容器２を包装する前、包装した後のいずれでもよい。連結シール２ｃは、糊後を残さずに剥離可能であり、連結シール２ｃを剥離することで、外部包装用容器２は、図２（ａ）、図２（ｂ）に示すように、上部スリーブ２ａと下部スリーブ２ｃとに分離される。
【００１６】
外部包装用容器２は、１枚の矩形状に展開されたものを側面端部同士を接着して、８つの折り線に沿って山折りし、略正八角筒状に形成したものであるが、包装用容器として使われていないときは、前記１枚の矩形の半分の大きさに畳んだものを複数枚積層して保管される。図３は、外部包装用容器２の上部スリーブ２ａについて示しているが、下部スリーブ２ｂについても同様である。なお、図３では、葡萄の花形模様５は省略している。図３（ａ）は、１つの上部スリーブ２ａの保管状態の斜視図であり、図３（ｂ）は、１つの上部スリーブ２ａの保管状態の平面図である。上部スリーブ２ａは、ＰＥＴ製であるので可撓性を有している（下部スリーブ２ｂも同様である。）。包装用容器として使用するときには、この扁平形状に畳まれたものを１枚ずつ、図２に示すような八角筒状に復元する。
【００１７】
内部包装用容器３は、詳細は後述するが、所定の形状に裁断され、扁平形状に展開された段ボール紙等の素材のものを、所定の折り線に沿って山折りあるいは谷折りして、図４に示すような略正八角筒状に組み立てられる。
内部包装用容器３の頂部及び底部には、平面視略正八角形状の上側凹部３ａ及び下側凹部３ｂが設けられ、上側凹部３ａ、下側凹部３ｂのいずれか一方、又は、両方には、それぞれ、キャンドルボックス４が収納されている。上側凹部３ａ、下側凹部３ｂの両方に収納する場合は、２つのキャンドルボックス４は、同一形状・同一大きさである。図５には、この内部包装用容器３の頂部の上側凹部３ａにキャンドルボックス４が収納された状態を示す。詳細は、後述するが、キャンドルボックス４には係止片が設けられており、キャンドルボックス４を上側凹部３ａに収納するときに、これらの係止片を、上側凹部３ａの上部折返し片凹部（３４ｄ、３５ｄ等。）に係止させることで、キャンドルボックス４が上側凹部３ａに固定される。なお、キャンドルボックス４は、上側凹部３ａに着脱自在である。下側凹部３ｂにキャンドルボックス４を収納する場合も同様である。
【００１８】
図６に、本考案の一実施の形態におけるキャンドルボックス４の展開図を示す。図６に示すように、キャンドルボックス４は、略正八角形の上蓋部５ａと略正八角形の底蓋部５ｂとを備えている。底蓋部５ｂには、第１折り線１１ａを介して矩形の第１側片６ａが連設され、第２折り線１１ｂを介して矩形の第２側片６ｂが連設され、第３折り線１１ｃを介して矩形の第３側片６ｃが連設され、第４折り線１１ｆを介して矩形の第４側片６ｄが連設されている。ここで、第１側片６ａの一部は、略半円形の第１係止片７ａとして形成され、第２側片６ｂの一部は、略矩形の第１差込補助片１０ａとして形成され、第３側片６ｃの一部は、略矩形の第２差込補助片１０ｂとして形成されている。また、底蓋部５ｂの右斜め下辺１１ｄに連設して略半円形の第２係止片７ｂが形成され、底蓋部５ｂの右斜め上辺１１ｅに連設して略半円形の第３係止片７ｃが形成されている。第１側片６ａは、第１折り線１１ａに沿って、第１係止片７ａとは連動せずに谷折りすることができる。第２側片６ｂは、第２折り線１１ｂに沿って、第１差込補助片１０ａとは連動せずに谷折りすることができる。第３側片６ｃは、第３折り線１１ｃに沿って、第２差込補助片１０ｂとは、連動せずに谷折りすることができる。
【００１９】
第４側片６ｄには、上述したように第４折り線１１ｆを介して底蓋部５ｂが連設され、第５折り線１１ｇを介して矩形の第５側片６ｅが連設され、第６折り線１１ｈを介して矩形の第６側片６ｆが連設され、第９折り線１１ｋを介して上蓋部５ａが連設されている。第５側片６ｅには、第７折り線１１ｉを介して略矩形の第１折込片８ａが連設され、第６側片６ｆには、第８折り線１１ｊを介して略矩形の第２折込片８ｂが連設されている。
【００２０】
上蓋部５ａには、上述したように第９折り線１１ｋを介して第４側片６ｄが連設され、第１０折り線１１ｌを介して矩形の第７片６ｇが連設され、第１１折り線１１ｍを介して矩形の第８側片６ｈが連設され、第１２折り線１１ｎを介して矩形の第９側片６ｉが連設されている。
【００２１】
第７側片６ｇには、第１３折り線１１ｏを介して舌片状の第１差込片９ａが連設され、第８側片６ｈには、第１４折り線１１ｐを介して舌片状の第２差込片９ｂが連設されている。第９側片６ｉには、上述したように第１２折り線１１ｎを介して上蓋部５ａが連設され、第１５折り線１１ｑを介して矩形の第１０側片６ｊが連設され、第１６折り線１１ｒを介して矩形の第１１側片６ｋが連設され、第１７折り線１１ｓを介して舌片状の第３差込片９ｃが連設されている。第１０側片６ｊには、第１８折り線１１ｔを介して略矩形の第３折込片８ｃが連設され、第１１側片６ｋには、第１９折り線１１ｕを介して略矩形の第４折込片８ｄが連設されている。
【００２２】
図６の展開されたキャンドルボックス４を組み立てるときは、所定の手順に従う。
第１折り線１１ａ〜第３折り線１１ｃ、第４折り線１１ｆ〜第１９折り線１１ｕは、全て谷折りである。つまり、第１折り線１１ａ〜第３折り線１１ｃ、第４折り線１１ｆ〜第１９折り線１１ｕに沿って、全て内側に折り曲げられる。
第１側片６ａ〜第１１側片６ｋは、キャンドルボックス４の側面を形成する。組み立てられるときは、第１側片６ａに第９側片６ｉが重合され、第１側片６ａを第１折り線１１ａに沿って谷折りして第１係止片７ａとの間に形成される差込空間部に、第１７折り線１１ｓに沿って谷折りされた第３差込片９ｃが差し込まれる。また、第２側片６ｂに第７側片６ｇが重合され、第２側片６ｂを第２折り線１１ｂに沿って谷折りして第１差込補助片１０ａとの間に形成される差込空間部に、第１差込片９ａを第１３折り線１１ｏに沿って谷折りして差し込む。また、第３側片６ｃに第８側片６ｈが重合され、第３側片６ｃを第３折り線１１ｃに沿って谷折りして第２差込補助片１０ｂとの間に形成される差込空間部に、第２差込片９ｂを第１４折り線１１ｐに沿って谷折りして差し込む。
【００２３】
また、第１折込片８ａと第３折込片８ｃは、第２側片６ｂと第７側片６ｇとの間に折り込まれ、第２折込片８ｂと第４折込片８ｄは、第３側片６ｃと第８側片６ｈとの間に折り込まれる。
【００２４】
図７は、本考案の一実施の形態におけるキャンドルボックスを説明する図である。
図７（ａ）に、本考案の一実施の形態におけるキャンドルボックス４の斜視図を示す。図７（ａ）に記載されたキャンドルボックス４は、内部包装用容器３の頂部の上側凹部３ａに収納された場合について示されている。図１及び図５において、内部包装用容器３の底部に設けられた下側凹部３ｂにキャンドルボックス４を収納する場合は、図７（ａ）に示すキャンドルボックス４を上下逆にして収納する。
図７（ａ）に示すキャンドルボックス４は、図６に示す扁平形状に展開されて所定形状に裁断された段ボール紙が上述した手順に従って組み立てられ、略正八角筒状をなしている。
【００２５】
第１差込補助片１０ａ、第２差込補助片１０ｂは、それぞれ、第１差込片９ａ、第２差込片９ｂの差込が容易にできるように設けられている。また、キャンドルボックス４を、内部包装用容器３の上側凹部３ａに収納するときに、第１係止片７ａ、第２係止片７ｂ、第３係止片７ｃは、それぞれ、第５上部折返し片凹部３５ｄ、第２上部折返し片凹部３２ｄ、第８上部折返し片凹部３８ｄに係止される。これによって、キャンドルボックス４を、上側凹部３ａに固定することができる。また、キャンドルボックス４を、下側凹部３ｂに収納するときには、第１係止片７ａ、第２係止片７ｂ、第３係止片７ｃは、それぞれ、第４下部折返し片凹部３４ｅ、第７下部折返し片凹部３７ｅ、第１下部折返し片凹部３１ｅに係止され、これによって、キャンドルボックス４を、下側凹部３ｂに固定することができる。
【００２６】
図７（ｂ）に、本考案の一実施の形態におけるキャンドルボックス４からキャンドル本体１２を取り出した様子を説明する斜視図を示す。図７（ｂ）では、組み立てられたキャンドルボックス４の構成部品の一部を展開して、収納された２個のキャンドル本体１２を取り出した状態を示している。キャンドル本体１２は、円筒形をなしており、外周は耐熱性素材の容器１２ａで形成され、この容器に蝋体１２ｂが収納されている。蝋体１２ｂの上面中央部には、綿糸や藺草等で形成されたキャンドル芯１２ｃが屈曲されて設けられている。蝋体１２ｂは、容器１２ａに着脱自在である。キャンドルボックス４に収納するキャンドル本体１２の大きさ、形状、個数等は、必要に応じて適宜決めればよい。
【００２７】
図８に、本考案の一実施の形態における内部包装用容器３の展開図を示す。図９に、図８の展開図における側板、側片等を説明する図を示す。図１０に、図８の展開図における瓶口収納ボックス、瓶口上蓋部、瓶口下蓋部、瓶底上蓋部、瓶底下蓋部等を説明する図を示す。
内部包装用容器３は、包装用容器として使われていないときは、図８に示すように１枚の扁平形状に展開されものが複数枚積層して保管されており、包装用容器として使用するときに、１枚ずつ所定の手順に従って簡単に組み立てられる。
【００２８】
内部包装用容器３は、主に瓶を包装するので、組み立てたときの側面の強度を高めるために、側面が二重構造になるよう形成されている。まず、略正八角筒状を形成するように、第１側板３１〜第８側板３８までの同一形状の矩形の８枚の側板が、内部包装用容器３の縦方向に延在して形成された第１谷折り線４１〜第７谷折り線４７の７つの谷折り線を介して、連設されている。そして、前記側板と略同一幅の第９側板３１ａ〜第１２側板３４ａが、内部包装用容器３の縦方向に延在して形成された第１山折り線４９〜第３山折り線５１を介して連設されている。第９側板３１ａ〜第１２側板３４ａは、第８谷折り線４８を介して谷折りされたとき、第９側板３１ａと第１側板３１、第１０側板３２ａと第２側板３２、第１１側板３３ａと第３側板３３、第１２側板３４ａと第４側板３４とが重なるように構成されている。同様に、前記側板と略同一幅の第１３側板３５ａ〜第１６側板３８ａが、内部包装用容器３の縦方向に延在して形成された第４山折り線５３〜第６山折り線５５を介して連設されている。第１３側板３５ａ〜第１６側板３８ａは、第９谷折り線５２を介して谷折りされたとき、第１３側板３５ａと第５側板３５、第１４側板３６ａと第６側板３６、第１５側板３７ａと第７側板３７、第１６側板３８ａと第８側板３８とが重なるように構成されている。このようにして、内部包装用容器３の側面が、組み立てられたときに二重構造になるように、形成されている。
【００２９】
また、内部包装用容器３は、頂部及び底部の強度を高めるために、上部折返し部５６と下部折返し部５７が設けられている。上部折返し部５６は、第１谷折り線４１〜第３谷折り線４３の３つの谷折り線を介して連設された第１上部折返し片３１ｂ〜第４上部折返し片３４ｂと、第５谷折り線４５〜第７谷折り線４７の３つの谷折り線を介して連設された第５上部折返し片３５ｂ〜第８上部折返し片３８ｂで構成されている。この第１上部折返し片３１ｂ〜第８上部折返し片３８ｂは、内部包装用容器３の横方向に延在して形成された第１０谷折り線５８に沿って谷折りしたときに、それぞれ、第１側板３１〜第８側板３８の上側の所定部分に重合されて接着される。
【００３０】
同様に、下部折返し部５７は、第１谷折り線４１〜第３谷折り線４３の３つの谷折り線を介して連設された第１下部折返し片３１ｃ〜第４下部折返し片３４ｃと、第５谷折り線４５〜第７谷折り線４７の３つの谷折り線を介して連設された第５下部折返し片３５ｃ〜第８下部折返し片３８ｃで構成されている。この第１下部折返し片３１ｃ〜第８下部折返し片３８ｃは、内部包装用容器３の横方向に延在して形成された第１１谷折り線５９に沿って谷折りしたときに、それぞれ、第１側板３１〜第８側板３８の下側の所定部分に重合されて接着される。
【００３１】
第９側板３１ａ〜第１２側板３４ａの上辺及び、第１３側板３５ａ〜第１６側板３８ａの上辺は、組み立て時に、第９側板３１ａ〜第１２側板３４ａを第８谷折り線４８に沿って谷折りし、第１３側板３５ａ〜第１６側板３８ａを第９谷折り線５２に沿って谷折りしたときに、上部折返し部５６を第１０谷折り線５８に沿って谷折りしたときの上部折返し部５６の上辺の位置に略一致するように形成されている。同様に、第９側板３１ａ〜第１２側板３４ａの下辺及び、第１３側板３５ａ〜第１６側板３８ａの下辺は、組み立て時に、第９側板３１ａ〜第１２側板３４ａを第８谷折り線４８に沿って谷折りし、第１３側板３５ａ〜第１６側板３８ａを第９谷折り線５２に沿って谷折りしたときに、下部折返し部５７を第１１谷折り線５９に沿って谷折りしたときの下部折返し部５７の下辺の位置に略一致するように形成されている。
【００３２】
第１上部折返し片３１ｂ、第２上部折返し片３２ｂ、第４上部折返し片３４ｂ、第５上部折返し片３５ｂ、第７上部折返し片３７ｂ、第８上部折返し片３８ｂの上辺には、それぞれ、略半円形の凹部をなす第１上部折返し片凹部３１ｄ、第２上部折返し片凹部３２ｄ、第４上部折返し片凹部３４ｄ、第５上部折返し片凹部３５ｄ、第７上部折返し片凹部３７ｄ、第８上部折返し片凹部３８ｄが形成され、第１下部折返し片３１ｃ、第２下部折返し片３２ｃ、第４下部折返し片３４ｃ、第５下部折返し片３５ｃ、第７下部折返し片３７ｃ、第８下部折返し片３８ｃには、それぞれ、略半円形の凹部をなす第１下部折返し片凹部３１ｅ、第２下部折返し片凹部３２ｅ、第４下部折返し片凹部３４ｅ、第５下部折返し片凹部３５ｅ、第７下部折返し片凹部３７ｅ、第８下部折返し片凹部３８ｅが形成されている。
【００３３】
また、第１０側板３２ａの上辺及び下辺、第１５側板３７ａの上辺及び下辺には、それぞれ、略半円形の凸部をなす第１０側板上部凸片３２ｆ及び第１０側板下部凸片３２ｇ、第１５側板上部凸片３７ｆ、第１５側板下部凸片３７ｇが形成されている。
【００３４】
さらに、第１１側板３３ａ及び第１２側板３４ａの下方領域には、内部包装用容器３に収納された瓶の転がりを防止するための瓶胴部係止片１００が設けられている。詳細は後述するが、瓶胴部係止片１００は、切込み線１０１に沿って第１１側板３３ａ及び第１２側板３４ａと分離され、第２０折り線１０２、第２１折り線１０３、第２２折り線１０４に沿って折り曲げられるように形成されている。また、瓶胴部係止片１００には、図８、図９に示すように、連設した凹部及び凸部が形成されており、瓶胴部係止片１００が第１１側板３３ａ及び第１２側板３４ａから分離されたときに、第１１側板３３ａ及び第１２側板３４ａに対応する凸部及び凹部が形成されるようになっている。
【００３５】
第９側板３１ａ〜第１２側板３４ａを第８谷折り線４８に沿って谷折りし、第１３側板３５ａ〜第１６側板３８ａを第９谷折り線５２に沿って谷折りし、上部折返し部５６を第１０谷折り線５８に沿って谷折りし、下部折返し部５７を第１１谷折り線５９に沿って谷折りしたときに、第１０側板上部凸片３２ｆは、第２上部折返し片凹部３２ｄに嵌装され、第１０側板下部凸片３２ｇは、第２下部折返し片凹部３２ｅに嵌装され、第１５側板上部凸片３７ｆは、第７上部折返し片凹部３７ｄに嵌装され、第１５側板下部凸片３７ｇは、第７下部折返し片凹部３７ｅに嵌装されるように形成されている。
【００３６】
また、内部包装用容器３には、包装する瓶の口部を収納するための瓶口収納ボックス６０が設けられている。図１０に示す瓶口収納ボックス６０は、扁平形状に展開されている。基本的な構成は、前述のキャンドルボックス４と同様で、略正八角形の第１瓶口上蓋部６０ａと第１瓶口底蓋部６０ｂと、それらに連設される側片、差込片等を有する。瓶口収納ボックス６０の組み立て手順は、前述したキャンドルボックス４の組み立て手順とほぼ同様である。
【００３７】
第３上部折返し片３３ｂには、上辺である第７山折り線９１ａを介して略正八角形の第１上蓋部６０ａが連設されている。組み立て時に、上部折返し部５６を第１０谷折り線５８に沿って谷折りするとともに、第１上蓋部６０ａを第７山折り線９１ａに沿って山折りすることで、瓶口収納ボックス６０の第１の上蓋を形成することができる。
【００３８】
第１瓶口上蓋部６０ａには、さらに、第１２谷折り線９１ｂを介して矩形の第１瓶口側片６１が連設され、第１３谷折り線９１ｃを介して矩形の第２瓶口側片６２が連設され、第１４谷折り線９１ｄを介して矩形の第３瓶口側片６３が連設され、第１５谷折り線９１ｅを介して第１瓶口差込片６４が連設されている。第１瓶口側片６１の一部は、矩形の第２瓶口差込片６５として形成され、第３瓶口側片６３の一部は、矩形の第３瓶口差込片６６として形成されている。第１瓶口側片６１は、第１２谷折り線９１ｂに沿って、第２瓶口差込片６５とは連動せずに谷折りすることができる。第３瓶口側片６３は、第１４谷折り線９１ｄに沿って、第３瓶口差込片６６とは、連動せずに谷折りすることができる。第１瓶口上蓋部６０ａの左斜め下辺の一部を切り欠いて、第１瓶口上蓋凹部６７が形成されている。第１瓶口側片６１、第２瓶口側片６２、第３瓶口側片６３は、組み立てられて、瓶口収納ボックス６０の側面を形成する。
【００３９】
第２瓶口側片６２には、第１６谷折り線９１ｆを介して略八角形の第１瓶口底蓋部６０ｂが連設されている。第１瓶口底蓋部６０ｂは、組み立て時に、第１６谷折り線９１ｆに沿って谷折りされ、瓶口収納ボックス６０の底蓋を形成する。
【００４０】
第１瓶口底蓋部６０ｂには、第１７谷折り線９１ｇを介して矩形の第４瓶口側片６８が連設され、第１８谷折り線９１ｈを介して矩形の第５瓶口側片６９が連設され、第１９谷折り線９１ｉを介して略矩形の第６瓶口側片７０が連設され、第２０谷折り線９１ｊ介して略矩形の第７瓶口側片７１が連設されている。第４瓶口側片６８には、第２１谷折り線９１ｋを介して舌片状の第４瓶口差込片７２が連設され、第７瓶口側片７１には、第２２谷折り線９１ｌを介して舌片状の第５瓶口差込片７３が連設されている。第４瓶口側片６８、第５瓶口側片６９、第６瓶口側片７０、第７瓶口側片７１は、瓶口収納ボックス６０の側面を形成する。第１底蓋部６０ｂは、第２瓶口側片６２の両端の谷折り線を谷折りすることで、瓶口収納ボックス６０の下側の蓋を形成することができる。第１瓶口底蓋部６０ｂには、内部包装用容器３が組み立てられて瓶を収納するときに瓶口部を着脱自在に収納するための瓶口底蓋開口部７４が形成されている。
【００４１】
また、組み立てられたときに、第１瓶口差込片６４は、第１側板３１と第９側板３１ａで形成される間隙に挿入され、第１瓶口上蓋凹部６７は、第１０側板３２ａの第１０側板上部凸片３２ｆに外嵌される。これにより、瓶口収納ボックス６０が固定される。第１瓶口側片６１、第３瓶口側片６３を、それぞれ、第１２谷折り線９１ｂ、第１４谷折り線９１ｄに沿って谷折りすることで、第１瓶口側片６１と第２瓶口差込片６５との間、第３瓶口側片６３と第３瓶口差込片６６との間に、差込空間部が形成され、各差込空間部に、それぞれ、第５瓶口差込片７３、第４瓶口差込辺７２が差込まれるときに、差込みが容易に行われるように形成されている。
【００４２】
第６上部折返し片３６ｂの上辺である第８山折り線９１ｎに連設されて略正八角形の第２瓶口上蓋部６０ｃが形成されている。第２瓶口上蓋部６０ｃには、第２３谷折り線９１ｍを介して矩形の第６瓶口差込片７５が連設されている。第２瓶口上蓋部６０ｃの右斜め上辺の一部分には、矩形の第７瓶口差込片７６が連設され、右斜め下辺の一部を切り欠いて、第２瓶口上蓋凹部７７が形成されている。
【００４３】
組み立て時に、第２瓶口上蓋部６０ｃは、上部折返し部５６を第１０谷折り線５８に沿って谷折りするとともに、第８山折り線９１ｎに沿って山折りすることで、瓶口収納ボックス６０の第２の上側の蓋を形成することができる。第６瓶口差込片７５は、第８側板３８と第１６側板３８ａで形成される間隙に挿入され、第７瓶口差込片７６は、第１上部折返し片凹部３１ｄに嵌装され、第２瓶口上蓋凹部７７は、第１５側板上部凸片３７ｆに外嵌されるように形成されている。第２瓶口上蓋部６０ｃは、組み立てられたときに、第１瓶口上蓋部６０ａに重合される。これにより、第２瓶口上蓋部６０ｃが固定される。
【００４４】
また、内部包装用容器３には、包装する瓶の底部を保護するために、第３折返し片３３ｃの下辺である第９山折り線９１ｏに連設されて、略正八角形の第１瓶底蓋部６０ｄが形成され、第６折返し片３６ｃの下辺である第１０山折り線９１ｑに連設されて、略正八角形の第２瓶底蓋部６０ｅが形成されている。
【００４５】
第１瓶底蓋部６０ｄには、第２４谷折り線９１ｐに連設されて矩形の第１瓶底差込片７９が形成され、左斜め上辺の一部を切り欠いて第１底蓋凹部７８が形成されている。また、第２瓶底蓋部６０ｅには、第２５谷折り線９１ｒに連設されて矩形の第２瓶底差込片８０が形成され、右斜め上片の一部を切り欠いて第２底蓋凹部８１が形成され、右斜め下辺の一部に連設されて矩形の第１底蓋差込片８２が形成されている。
【００４６】
内部包装用容器３が組み立てられたときに、第１瓶底差込片７９は、第１側板３１と第９側板３１ａとで形成される間隙に挿入され、第２瓶底差込片８０は、第８側板３８と第１６側板３８ａとで形成される間隙に挿入され、第１底蓋凹部７８は、第１０側板下部凸片３２ｇに外嵌され、第２底蓋凹部８１は、１０側板下部凸片３７ｇに外嵌され、第１底蓋差込片８２は、第１下部折返し片凹部３１ｅに嵌装される。これにより、第１瓶底蓋部６０ｄ、第２瓶底蓋部６０ｅが固定される。第２瓶底蓋部６０ｅは第１瓶底蓋部６０ｄの下側に重合される。
【００４７】
図１１は、瓶胴部係止片１００について説明する斜視図である。図１１（ａ）は、第９側板３１ａ〜第１２側板３４ａを第８谷折り線４８に沿って谷折りし、第１３側板３５ａ〜第１６側板３８ａを第９谷折り線５２に沿って谷折りし、下部折返し部５７を第１１谷折り線５９に沿って谷折して、第１瓶底蓋部６０ｄの第１瓶底差込片７９を第１側板３１と第９側板３１ａとの間に差込み、第２瓶底蓋部６０ｅの第２瓶底差込片８０を第８側板３８と第１６側板３８ａとの間に差し込んだ状態を示す。このとき、図１１（ａ）では、瓶胴部係止片１００が、第１１側板３３ａ及び第１２側板３４ａから分離されていない。この状態では、内部包装用容器３に瓶１１０を収納したときに、瓶１１０の口部は瓶口収納ボックス６０で固定されるが、瓶１１０の胴部が固定されていない。このため、瓶１１０が側板上を転がってしまう虞がある。
【００４８】
このため、以下のように、瓶胴部係止片１００を用いる。まず、図１１（ｂ）に示すように、瓶胴部係止片１００を、切込み線１０１に沿って、第１１側板３３ａ及び第１２側板３４ａから分離する。そして、図１１（ｃ）に示すように、瓶胴部係止片１００を、第２０折り線１０２に沿って谷折りし、第２１折り線１０３に沿って山折りし、第２２折り線１０４に沿って谷折りして、瓶胴部係止片１００の凸部と第１１側板３３ａ及び第１２側板３４ａの凹部と嵌合させる。こうすることで、第２０折り線１０２と第２１折り線１０３と第２２折り線１０４とを含む領域で形成される部分が突起状に形成され、この状態で瓶１１０を収納したときに、瓶胴部を瓶胴部係止片１００に係止して転がりを防止することができる。
【００４９】
図１２は、ワイン等の入った瓶１１０を、内部包装用容器３で包装している途中の状態を説明する斜視図である。図８〜図１１及びその説明を参照すれば、図１２に示すように、内部包装用容器３が簡単に組み立てられ、ワイン等の入った瓶１１０を簡単に包装できることが理解できる。そして、内部包装用容器３は、さらに、外部包装用容器２で包装される。
【００５０】
内部包装用容器３は、瓶を包装するために組み立てられたときに、まず側面が第１側板〜第８側板と第９側板〜第１６側板とで二重構造に形成される。そして、瓶１１０の口部は瓶口収納ボックス６０に収納され、瓶１１０の胴部は瓶胴部係止片１００で係止されている。さらに、瓶底は、内部包装用容器３の下端より所定距離だけ上方に位置する第１瓶底蓋部６０ｄ及び第２瓶底蓋部６０ｅとで支持される。このため、本考案の内部包装用容器３は、従来技術に比べ、顕著な耐衝撃性を備えている。
【００５１】
図１３は、本考案の一実施の形態におけるキャンドルポジションシート９０の展開図である。本実施の形態では、略正八角形で、キャンドルボックス４に収納可能な大きさのキャンドルポジションシート単体９０ａが６枚綴りで、一つのキャンドルポジションシート９０を構成して、キャンドルボックス４に収納されているが、キャンドルポジションシート単体９０ａの枚数は、適宜変更されてよい。
６枚のキャンドルポジションシート単体９０ａは、それぞれ、切り取り線９０ｂに沿って折り畳むことができる。本願考案の外部包装用容器２をキャンドルスリーブとして使用するときは、キャンドルポジションシート単体９０ａを切り取り線に沿って必要な枚数分切り離して用いることができる。キャンドルポジションシートは、耐火性、耐熱性を有する素材で形成されている。
【００５２】
本考案の一実施の形態における包装用容器１において、内部包装用容器３は、ワイン瓶、清酒瓶等を収納した状態で冷蔵庫に保管されることがあるため、結露防止のために、防水加工が施されてもよい。また、キャンドルボックス４、キャンドルポジションシート９０に防水加工が施されてもよい。
【００５３】
図１４は、本考案の一実施の形態におけるキャンドルスリーブの設置手順を示す説明図である。
まず、内部包装用容器３からキャンドルボックス４を取り出して、キャンドルボックス４を開封し、収納されているキャンドル本体１２を取り出す（図７（ａ）、図７（ｂ）参照。）。
次に、キャンドルポジションシート９０から、キャンドルポジションシート単体９０ａを切り離し、キャンドルボックス４の上、あるいは、テーブルの上にセットする（図１４（ａ）参照。）
次に、キャンドルポジションシート単体９０ａの中心にキャンドル本体１２をセットし、キャンドル芯１２ｃに点火する（図１４（ｂ）参照。）。
最後に、外部包装用容器２から分離した上部スリーブ２ａを、キャンドルボックス４の上にセットされたキャンドル本体１２の上から被装し、同様に、下部スリーブ２ｂを、テーブルの上にセットされたキャンドル本体１２の上から被装する（図１４（ｃ）参照。）。
以上で、キャンドルスリーブの設置が完了する。
【００５４】
図１５に、本考案の一実施の形態におけるキャンドルスリーブの使用状態を示す。
図１４で説明したように、テーブル９５の上に、上部スリーブ２ａと下部スリーブ２ｂが置かれている。上部スリーブ２ａ内には、キャンドルボックス４、キャンドルポジションシート単体９０ａ、キャンドル本体１２がセットされ、下部スリーブ２ｂ内には、キャンドルポジションシート単体９０ａ、キャンドル本体１２がセットされている。
上部スリーブ２ａに施された複数の葡萄の花形模様５は、点火されたキャンドル本体１２の炎から輻射された光によって壁９６に投影されて模様９８を形成している。下部スリーブ２ｂに施された葡萄の花形模様５は、点火されたキャンドル本体１２の炎から輻射された光によってテーブル９５に投影されて模様９７を形成している。本考案は、従来技術に比べ、顕著な演出効果を奏している。
【符号の説明】
【００５５】
１    包装用容器、            ２    外部包装用容器、
２ａ  上部スリーブ、          ２ｂ  下部スリーブ、
２ｃ  連結シール、            ３    内部包装用容器、
３ａ  上側凹部、              ３ｂ  下側凹部、
４    キャンドルボックス、    ５    葡萄の花形模様、
５ａ  上蓋部、                ５ｂ  底蓋部、
６ａ  第１側片、              ６ｂ  第２側片、
６ｃ  第３側片、              ６ｄ  第４側片、
６ｅ  第５側片、              ６ｆ  第６側片、
６ｇ  第７側片、              ６ｈ  第８側片、
６ｉ  第９側片、              ６ｊ  第１０側片
６ｋ  第１１側片、            ７ａ  第１係止片、
７ｂ  第２係止片、            ７ｃ  第３係止片、
８ａ  第１折込片、            ８ｂ  第２折込片、
８ｃ  第３折込片、            ８ｄ  第４折込片、
９ａ  第１差込片、            ９ｂ  第２差込片、
９ｃ  第３差込片、            １０ａ  第１差込補助片、
１０ｂ  第２差込補助片、        １１ａ  第１折り線、
１１ｂ  第２折り線、            １１ｃ  第３折り線、
１１ｄ  右斜め下辺、            １１ｅ  右斜め上辺、
１１ｆ  第４折り線、            １１ｇ  第５折り線、
１１ｈ  第６折り線、            １１ｉ  第７折り線、
１１ｊ  第８折り線、            １１ｋ  第９折り線、
１１ｌ  第１０折り線、          １１ｍ  第１１折り線、
１１ｎ  第１２折り線、          １１ｏ  第１３折り線、
１１ｐ  第１４折り線、          １１ｑ  第１５折り線、
１１ｒ  第１６折り線、          １１ｓ  第１７折り線、
１１ｔ  第１８折り線、          １１ｕ  第１９折り線、
１２    キャンドル本体、        １２ａ  容器、
１２ｂ  蝋体、                  １２ｃ  キャンドル芯、
３１    第１側板、              ３２    第２側板、
３３    第３側板、              ３４    第４側板、
３５    第５側板、              ３６    第６側板、
３７    第７側板、              ３８    第８側板、
３１ａ  第９側板、              ３２ａ  第１０側板、
３３ａ  第１１側板、            ３４ａ  第１２側板、
３５ａ  第１３側板、            ３６ａ  第１４側板、
３７ａ  第１５側板、            ３８ａ  第１６側板、
３１ｂ  第１上部折返し片、      ３２ｂ  第２上部折返し片、
３３ｂ  第３上部折返し片、      ３４ｂ  第４上部折返し片、
３５ｂ  第５上部折返し片、      ３６ｂ  第６上部折返し片、
３７ｂ  第７上部折返し片、      ３８ｂ  第８上部折返し片、
３１ｃ  第１下部折返し片、      ３２ｃ  第２下部折返し片、
３３ｃ  第３下部折返し片、      ３４ｃ  第４下部折返し片、
３５ｃ  第５下部折返し片、      ３６ｃ  第６下部折返し片、
３７ｃ  第７下部折返し片、      ３８ｃ  第８下部折返し片、
３１ｄ  第１上部折返し片凹部、  ３２ｄ  第２上部折返し片凹部、
３４ｄ  第４上部折返し片凹部、  ３５ｄ  第５上部折返し片凹部、
３７ｄ  第７上部折返し片凹部、  ３８ｄ  第８上部折返し片凹部、
３１ｅ  第１下部折返し片凹部、  ３２ｅ  第２下部折返し片凹部、
３４ｅ  第４下部折返し片凹部、  ３５ｅ  第５下部折返し片凹部、
３７ｅ  第７下部折返し片凹部、  ３８ｅ  第８下部折返し片凹部、
３２ｆ  第１０側板上部凸片、    ３７ｆ  第１５側板上部凸片、
３２ｇ  第１０側板下部凸片、    ３７ｇ  第１５側板下部凸片、
４１    第１谷折り線、          ４２    第２谷折り線、
４３    第３谷折り線、          ４４    第４谷折り線、
４５    第５谷折り線、          ４６    第６谷折り線、
４７    第７谷折り線、          ４８    第８谷折り線、
４９    第１山折り線、          ５０    第２山折り線、
５１    第３山折り線、          ５２    第９谷折り線、
５３    第４山折り線、          ５４    第５山折り線、
５５    第６山折り線、          ５６    上部折返し部、
５７    下部折返し部、          ５８    第１０谷折り線、
５９    第１１谷折り線、        ６０    瓶口収納ボックス、
６０ａ  第１瓶口上蓋部、        ６０ｂ  第１瓶口底蓋部、
６０ｃ  第２瓶口上蓋部、        ６０ｄ  第１瓶底蓋部、
６０ｅ  第２瓶底蓋部、          ６１    第１瓶口側片、
６２    第２瓶口側片、          ６３    第３瓶口側片、
６４    第１瓶口差込片、        ６５    第２瓶口差込片、
６６    第３瓶口差込片、        ６７    第１瓶口上蓋凹部、
６８    第４瓶口側片、          ６９    第５瓶口側片、
７０    第６瓶口側片、          ７１    第７瓶口側片、
７２    第４瓶口差込片、        ７３    第５瓶口差込片、
７４    瓶口底蓋開口部、        ７５    第６瓶口差込片、
７６    第７瓶口差込片、        ７７    第２瓶口上蓋凹部、
７８    第１底蓋凹部、          ７９    第１瓶底差込片、
８０    第２瓶底差込片、        ８１    第２底蓋凹部、
８２    第１底蓋差込片、        ９０    キャンドルポジションシート、
９０ａ  キャンドルポジションシート単体、
９１ａ  第７山折り線、          ９１ｂ  第１２谷折り線、
９１ｃ  第１３谷折り線、        ９１ｄ  第１４谷折り線、
９１ｅ  第１５谷折り線、        ９１ｆ  第１６谷折り線、
９１ｇ  第１７谷折り線、        ９１ｈ  第１８谷折り線、
９１ｉ  第１９谷折り線、        ９１ｊ  第２０谷折り線、
９１ｋ  第２１谷折り線、        ９１ｌ  第２２谷折り線、
９１ｍ  第２３谷折り線、        ９１ｎ  第８山折り線、
９１ｏ  第９山折り線、          ９１ｐ  第２４谷折り線、
９１ｑ  第１０山折り線、        ９１ｒ  第２５谷折り線、
１００  瓶胴部係止片、          １０１  切込み線、
１０２  第２０折り線、          １０３  第２１折り線、
１０４  第２２折り線、          １１０  瓶
【図１】
0003196409.tif 000003
【図２】
0003196409.tif 000004
【図３】
0003196409.tif 000005
【図４】
0003196409.tif 000006
【図５】
0003196409.tif 000007
【図６】
0003196409.tif 000008
【図７】
0003196409.tif 000009
【図８】
0003196409.tif 000010
【図９】
0003196409.tif 000011
【図１０】
0003196409.tif 000012
【図１１】
0003196409.tif 000013
【図１２】
0003196409.tif 000014
【図１３】
0003196409.tif 000015
【図１４】
0003196409.tif 000016
【図１５】
0003196409.tif 000017